【手続補正書】
【提出日】平成20年9月17日(2008.9.17)
【手続補正１】
【補正対象書類名】明細書
【補正対象項目名】発明の名称
【補正方法】変更
【補正の内容】
【発明の名称】撮像装置及びその制御方法、並びにプログラム
【手続補正２】
【補正対象書類名】明細書
【補正対象項目名】特許請求の範囲
【補正方法】変更
【補正の内容】
【特許請求の範囲】
【請求項１】  バッテリを備え、通信装置と通信可能な撮像装置であって、
被写体を撮影することにより得られた信号を画像データとして取得し、記録媒体に記録する記録手段と、
前記記録媒体に記録された画像データを検索するための検索情報を前記通信装置から受信する受信手段と、
前記受信手段により受信された検索情報に基づき、前記記録媒体から前記画像データを検索する検索手段と、
前記検索手段により検索された前記画像データの属性情報を前記通信装置へ送信する送信手段と、
前記バッテリの残量を検知する検知手段と、
前記検知手段により検知されたバッテリの残量で前記検索手段による検索処理および前記送信手段による送信処理を完了することができるか否かを判定する判定手段と、
前記判定手段により前記検索処理および前記送信処理を完了できないと判定されたとき、前記受信手段による受信処理の実行を禁止し、前記記録手段による記録処理の実行を許可するよう制御する制御手段とを備えたことを特徴とする撮像装置。
【請求項２】 前記判定手段により前記検索処理および前記送信処理を完了できないと判定されたとき、警告を表示手段に表示する表示制御手段をさらに備えたことを特徴とする請求項１記載の撮像装置。
【請求項３】 前記属性情報は前記画像データの縮小画像を含むことを特徴とする請求項１または２記載の撮像装置。
【請求項４】 前記検索情報は名称、撮影日時、撮影場所、キーワードのうち少なくとも１つを含むことを特徴とする請求項１乃至３のいずれか１項に記載の撮像装置。
【請求項５】 バッテリを備え、通信装置と通信可能な撮像装置の制御方法であって、
被写体を撮影することにより得られた信号を画像データとして取得し、記録媒体に記録する記録ステップと、
前記記録媒体に記録された画像データを検索するための検索情報を前記通信装置から受信する受信ステップと、
前記受信された検索情報に基づき、前記記録媒体から前記画像データを検索する検索ステップと、
前記検索された前記画像データの属性情報を前記通信装置へ送信する送信ステップと、
前記バッテリの残量を検知する検知ステップと、
前記検知されたバッテリの残量で前記検索ステップによる検索処理および前記送信ステップによる送信処理を完了することができるか否かを判定する判定ステップと、
前記判定の結果、前記検索処理および前記送信処理を完了できないとき、前記受信ステップによる受信処理の実行を禁止し、前記記録ステップによる記録処理の実行を許可するよう制御する制御ステップとを備えたことを特徴とする制御方法。
【請求項６】 バッテリを備え、通信装置と通信可能な撮像装置の制御方法をコンピュータに実行させるプログラムにおいて、
被写体を撮影することにより得られた信号を画像データとして取得し、記録媒体に記録する記録ステップと、
前記記録媒体に記録された画像データを検索するための検索情報を前記通信装置から受信する受信ステップと、
前記受信された検索情報に基づき、前記記録媒体から前記画像データを検索する検索ステップと、
前記検索された前記画像データの属性情報を前記通信装置へ送信する送信ステップと、
前記バッテリの残量を検知する検知ステップと、
前記検知されたバッテリの残量で前記検索ステップによる検索処理および前記送信ステップによる送信処理を完了することができるか否かを判定する判定ステップと、
前記判定の結果、前記検索処理および前記送信処理を完了できないとき、前記受信ステップによる受信処理の実行を禁止し、前記記録ステップによる記録処理の実行を許可するよう制御する制御ステップとを実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、撮像装置及びその制御方法、並びにプログラムに関し、特に、装置間通信によりデータの通信を行う撮像装置及びその制御方法、並びにプログラムに関する。
【手続補正４】
【補正対象書類名】明細書
【補正対象項目名】０００９
【補正方法】変更
【補正の内容】
【０００９】
【発明が解決しようとする課題】
本発明は、撮像装置が記憶する画像データを通信装置から検索し、しかも検索した画像データを通信装置に表示できると共に、撮像した画像データを記憶し、これらの記憶した画像データを装置間通信により送信できる撮像装置及びその制御方法、並びにプログラムを提供することを目的とするものである。
【手続補正５】
【補正対象書類名】明細書
【補正対象項目名】００１０
【補正方法】変更
【補正の内容】
【００１０】
【課題を解決するための手段】
上記目的を達成するために、請求項１記載の撮像装置は、バッテリを備え、通信装置と通信可能な撮像装置であって、被写体を撮影することにより得られた信号を画像データとして取得し、記録媒体に記録する記録手段と、前記記録媒体に記録された画像データを検索するための検索情報を前記通信装置から受信する受信手段と、前記受信手段により受信された検索情報に基づき、前記記録媒体から前記画像データを検索する検索手段と、前記検索手段により検索された前記画像データの属性情報を前記通信装置へ送信する送信手段と、前記バッテリの残量を検知する検知手段と、前記検知手段により検知されたバッテリの残量で前記検索手段による検索処理および前記送信手段による送信処理を完了することができるか否かを判定する判定手段と、前記判定手段により前記検索処理および前記送信処理を完了できないと判定されたとき、前記受信手段による受信処理の実行を禁止し、前記記録手段による記録処理の実行を許可するよう制御する制御手段とを備えたことを特徴とする。
【手続補正６】
【補正対象書類名】明細書
【補正対象項目名】００１１
【補正方法】変更
【補正の内容】
【００１１】
請求項２記載の撮像装置は、請求項１記載の撮像装置において、前記判定手段により前記検索処理および前記送信処理を完了できないと判定されたとき、警告を表示手段に表示する表示制御手段をさらに備えたことを特徴とする。
【手続補正７】
【補正対象書類名】明細書
【補正対象項目名】００１２
【補正方法】変更
【補正の内容】
【００１２】
請求項３記載の撮像装置は、請求項１または２記載の撮像装置において、前記属性情報は前記画像データの縮小画像を含むことを特徴とする。
【手続補正８】
【補正対象書類名】明細書
【補正対象項目名】００１３
【補正方法】変更
【補正の内容】
【００１３】
請求項４記載の撮像装置は、請求項１乃至３のいずれか１項に記載の撮像装置において、前記検索情報は名称、撮影日時、撮影場所、キーワードのうち少なくとも１つを含むことを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】変更
【補正の内容】
【００３６】
上記目的を達成するために、請求項５記載の撮像装置の制御方法は、バッテリを備え、通信装置と通信可能な撮像装置の制御方法であって、被写体を撮影することにより得られた信号を画像データとして取得し、記録媒体に記録する記録ステップと、前記記録媒体に記録された画像データを検索するための検索情報を前記通信装置から受信する受信ステップと、前記受信された検索情報に基づき、前記記録媒体から前記画像データを検索する検索ステップと、前記検索された前記画像データの属性情報を前記通信装置へ送信する送信ステップと、前記バッテリの残量を検知する検知ステップと、前記検知されたバッテリの残量で前記検索ステップによる検索処理および前記送信ステップによる送信処理を完了することができるか否かを判定する判定ステップと、前記判定の結果、前記検索処理および前記送信処理を完了できないとき、前記受信ステップによる受信処理の実行を禁止し、前記記録ステップによる記録処理の実行を許可するよう制御する制御ステップとを備えたことを特徴とする。
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】変更
【補正の内容】
【００３８】
上記目的を達成するために、請求項６記載のプログラムは、バッテリを備え、通信装置と通信可能な撮像装置の制御方法をコンピュータに実行させるプログラムにおいて、被写体を撮影することにより得られた信号を画像データとして取得し、記録媒体に記録する記録ステップと、前記記録媒体に記録された画像データを検索するための検索情報を前記通信装置から受信する受信ステップと、前記受信された検索情報に基づき、前記記録媒体から前記画像データを検索する検索ステップと、前記検索された前記画像データの属性情報を前記通信装置へ送信する送信ステップと、前記バッテリの残量を検知する検知ステップと、前記検知されたバッテリの残量で前記検索ステップによる検索処理および前記送信ステップによる送信処理を完了することができるか否かを判定する判定ステップと、前記判定の結果、前記検索処理および前記送信処理を完了できないとき、前記受信ステップによる受信処理の実行を禁止し、前記記録ステップによる記録処理の実行を許可するよう制御する制御ステップとを実行させることを特徴とする。
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】０１４１
【補正方法】変更
【補正の内容】
【０１４１】
また、通信装置３００，７００は、携帯電話に限らず、ノートＰＣやＰＤＡ（Personal Digital Assistance）等のような通信機能を有する電子機器でも、本発明を実現することができる。
以上詳述したように、本発明によれば、撮像装置と装置間通信により接続し、撮像装置が記憶する複数の画像データを検索し、検索された画像データを表示することができる。また、通信装置からの指示により画像データを検索することができる。したがって、装置間通信により撮像装置と通信装置を接続した際の検索を簡単に行うことができる。
【手続補正３８】
【補正対象書類名】明細書
【補正対象項目名】０１４２
【補正方法】削除
【補正の内容】
【手続補正３９】
【補正対象書類名】明細書
【補正対象項目名】０１４３
【補正方法】削除
【補正の内容】
【手続補正４０】
【補正対象書類名】明細書
【補正対象項目名】０１４４
【補正方法】変更
【補正の内容】
【０１４４】
【発明の効果】
本発明によれば、検出されたバッテリの残量が十分あるときは受信を可能にするので、動作途中でのバッテリ残量不足による動作不良を防止することができる。